(57)【特許請求の範囲】
【請求項１】
カスケード走査線に対して駆動操作を行う走査駆動回路であって、
１段前の転送信号と２段前の転送信号を受信し、前記１段前の転送信号と前記２段前の転送信号によって対応する前記走査線の走査レベル信号を生成するためのプルアップ制御モジュールと、
前記走査レベル信号及び自段のクロック信号によって対応する前記走査線の走査信号をプルアップするためのプルアップモジュールと、
１段後の転送信号によって対応する前記走査線の走査信号をプルダウンするためのプルダウンモジュールと、
対応する前記走査線の走査信号のローレベルを保持するためのプルダウン保持モジュールと、
１段後のプルアップ制御モジュールへ自段の転送信号を発信するための転送モジュールと、
前記走査線の走査信号のハイレベルを発生するための第１のブートストラップコンデンサと、
プルダウン用ローレベルを提供するための定電圧ローレベル電源と、
自段の前記走査線の走査レベル信号に対してリセット操作を行うためのリセットモジュールと、を備え、
前記プルアップ制御モジュールは、
前記２段前の転送信号によって対応する前記走査線の走査レベル信号をプリプルアップし、前記１段前の転送信号によって対応する前記走査線の走査レベル信号をプルアップするための第２のブートストラップコンデンサを備え、
前記プルアップ制御モジュールは第１のスイッチングトランジスタをさらに備え、該第１のスイッチングトランジスタの制御端子が前記１段前の転送信号を入力し、該第１のスイッチングトランジスタの入力端子が前記第２のブートストラップコンデンサに接続され、該第１のスイッチングトランジスタの出力端子が前記プルアップモジュール、前記プルダウンモジュール、前記プルダウン保持モジュール、前記転送モジュール及び前記第１のブートストラップコンデンサにそれぞれ接続され、
前記プルアップ制御モジュールは、プリプルアップスイッチングトランジスタ及びプルアップスイッチングトランジスタをさらに備え、
前記プリプルアップスイッチングトランジスタは、その制御端子が前記２段前の転送信号を入力し、その入力端子が前記２段前の転送信号を受信し、その出力端子が前記第２のブートストラップコンデンサの一端及び前記第１のスイッチングトランジスタの入力端子にそれぞれ接続され、
前記プルアップスイッチングトランジスタは、その制御端子が前記１段前の転送信号を入力し、その入力端子が前記１段前の転送信号を受信し、その出力端子が前記第２のブートストラップコンデンサの他端に接続される走査駆動回路。
【請求項２】
前記プルアップモジュールは第２のスイッチングトランジスタを備え、該第２のスイッチングトランジスタの制御端子が前記プルアップ制御モジュールの第１のスイッチングトランジスタの出力端子に接続され、該第２のスイッチングトランジスタの入力端子が前記自段のクロック信号を入力し、該第２のスイッチングトランジスタの出力端子が自段の走査信号を出力する請求項１に記載の走査駆動回路。
【請求項３】
前記転送モジュールは第３のスイッチングトランジスタを備え、該第３のスイッチングトランジスタの制御端子が前記プルアップ制御モジュールの第１のスイッチングトランジスタの出力端子に接続され、該第３のスイッチングトランジスタの入力端子が前記自段のクロック信号を入力し、該第３のスイッチングトランジスタの出力端子が前記自段の転送信号を出力する請求項１に記載の走査駆動回路。
【請求項４】
前記転送モジュールは第４のスイッチングトランジスタを備え、前記第４のスイッチングトランジスタの制御端子が前記１段後の転送信号を入力し、該第４のスイッチングトランジスタの入力端子が前記プルアップ制御モジュールの第１のスイッチングトランジスタの出力端子に接続され、該第４のスイッチングトランジスタの出力端子が前記定電圧ローレベル電源に接続される請求項１に記載の走査駆動回路。
【請求項５】
前記転送モジュールは第５のスイッチングトランジスタを備え、該第５のスイッチングトランジスタの制御端子が前記１段後の転送信号を入力し、該第５のスイッチングトランジスタの入力端子が前記第３のスイッチングトランジスタの出力端子に接続され、該第５のスイッチングトランジスタの出力端子が前記定電圧ローレベル電源に接続される請求項１に記載の走査駆動回路。
【請求項６】
前記プルダウン保持モジュールは、第１のプルダウン保持部と、第２のプルダウン保持部と、第２２のスイッチングトランジスタと、第２３のスイッチングトランジスタと、を備え、
前記第２２のスイッチングトランジスタは、その制御端子が前記第１のスイッチングトランジスタの出力端子に接続され、その出力端子が基準点Ｋ（Ｎ）に接続され、その入力端子が基準点Ｐ（Ｎ）に接続され、
前記第２３のスイッチングトランジスタは、その制御端子が１段前の転送信号を入力し、その出力端子が前記基準点Ｋ（Ｎ）に接続され、その入力端子が前記基準点Ｐ（Ｎ）に接続され、
前記第１のプルダウン保持部は、第６のスイッチングトランジスタと、第７のスイッチングトランジスタと、第８のスイッチングトランジスタと、第９のスイッチングトランジスタと、第１０のスイッチングトランジスタと、第１１のスイッチングトランジスタと、第１２のスイッチングトランジスタと、第１３のスイッチングトランジスタと、を備え、
前記第６のスイッチングトランジスタは、その制御端子が前記基準点Ｋ（Ｎ）に接続され、その入力端子が前記定電圧ローレベル電源に接続され、その出力端子が前記第２のスイッチングトランジスタの出力端子に接続され、
前記第７のスイッチングトランジスタは、その制御端子が前記基準点Ｋ（Ｎ）に接続され、その入力端子が前記定電圧ローレベル電源に接続され、その出力端子が前記第１のスイッチングトランジスタの出力端子に接続され、
前記第８のスイッチングトランジスタは、その制御端子が前記基準点Ｋ（Ｎ）に接続され、その入力端子が前記定電圧ローレベル電源に接続され、その出力端子が自段の転送信号を出力し、
前記第９のスイッチングトランジスタは、その制御端子が第１のパルス信号を入力し、その入力端子が前記第１のパルス信号を受信し、その出力端子が前記基準点Ｋ（Ｎ）に接続され、
前記第１０のスイッチングトランジスタは、その制御端子が前記自段の転送信号を入力し、その入力端子が前記定電圧ローレベル電源に接続され、その出力端子が前記第１のパルス信号を出力し、
前記第１１のスイッチングトランジスタは、その制御端子が第２のパルス信号を入力し、その入力端子が前記第１のパルス信号を受信し、その出力端子が前記基準点Ｋ（Ｎ）に接続され、
前記第１２のスイッチングトランジスタは、その制御端子が前記基準点Ｋ（Ｎ）に接続され、その出力端子が前記基準点Ｋ（Ｎ）に接続され、その入力端子が前記第１のパルス信号を受信し、
前記第１３のスイッチングトランジスタは、その制御端子が前記１段前の転送信号を入力し、その入力端子が前記第１のパルス信号を受信し、その出力端子が前記第２のパルス信号を出力し、
前記第２のプルダウン保持部は、第１４のスイッチングトランジスタと、第１５のスイッチングトランジスタと、第１６のスイッチングトランジスタと、第１７のスイッチングトランジスタと、第１８のスイッチングトランジスタと、第１９のスイッチングトランジスタと、第２０のスイッチングトランジスタと、第２１のスイッチングトランジスタと、を備え、
前記第１４のスイッチングトランジスタは、その制御端子が前記基準点Ｐ（Ｎ）に接続され、その入力端子が前記定電圧ローレベル電源に接続され、その出力端子が前記第２のスイッチングトランジスタの出力端子に接続され、
前記第１５のスイッチングトランジスタは、その制御端子が前記基準点Ｐ（Ｎ）に接続され、その入力端子が前記定電圧ローレベル電源に接続され、その出力端子が前記第１のスイッチングトランジスタの出力端子に接続され、
前記第１６のスイッチングトランジスタは、その制御端子が前記基準点Ｐ（Ｎ）に接続され、その入力端子が前記定電圧ローレベル電源に接続され、その出力端子が自段の転送信号を出力し、
前記第１７のスイッチングトランジスタは、その制御端子が第２のパルス信号を入力し、その入力端子が前記第２のパルス信号を受信し、その出力端子が前記基準点Ｐ（Ｎ）に接続され、
前記第１８のスイッチングトランジスタは、その制御端子が前記自段の転送信号を入力し、その入力端子が前記定電圧ローレベル電源に接続され、その出力端子が前記第２のパルス信号を出力し、
前記第１９のスイッチングトランジスタは、その制御端子が第１のパルス信号を入力し、その入力端子が前記第２のパルス信号を受信し、その出力端子が前記基準点Ｐ（Ｎ）に接続され、
前記第２０のスイッチングトランジスタは、その制御端子が前記基準点Ｐ（Ｎ）に接続され、その出力端子が前記基準点Ｐ（Ｎ）に接続され、その入力端子が前記第２のパルス信号を受信し、
前記第２１のスイッチングトランジスタは、その制御端子が前記１段前の転送信号を入力し、その入力端子が前記第２のパルス信号を受信し、その出力端子が前記第１のパルス信号を出力する請求項２に記載の走査駆動回路。
【請求項７】
前記第１のパルス信号の電位は、前記第２のパルス信号の電位と逆である請求項６に記載の走査駆動回路。
【請求項８】
前記第１のパルス信号及び前記第２のパルス信号は高周波パルス信号又は低周波電位信号である請求項７に記載の走査駆動回路。
【請求項９】
カスケード走査線に対して駆動操作を行う走査駆動回路であって、
１段前の転送信号と２段前の転送信号を受信し、前記１段前の転送信号と前記２段前の転送信号によって、対応する前記走査線の走査レベル信号を生成するためのプルアップ制御モジュールと、
前記走査レベル信号及び自段のクロック信号によって、対応する前記走査線の走査信号をプルアップするためのプルアップモジュールと、
１段後の転送信号によって、対応する前記走査線の走査信号をプルダウンするためのプルダウンモジュールと、
対応する前記走査線の走査信号のローレベルを保持するためのプルダウン保持モジュールと、
１段後のプルアップ制御モジュールへ自段の転送信号を発信するための転送モジュールと、
前記走査線の走査信号のハイレベルを発生するための第１のブートストラップコンデンサと、
プルダウン用ローレベルを提供するための定電圧ローレベル電源と、備え、
前記プルアップ制御モジュールは、
前記２段前の転送信号によって、対応する前記走査線の走査レベル信号をプリプルアップし、また、前記１段前の転送信号によって、対応する前記走査線の走査レベル信号をプルアップするための第２のブートストラップコンデンサを備え、
前記プルアップ制御モジュールは第１のスイッチングトランジスタをさらに備え、該第１のスイッチングトランジスタの制御端子が前記１段前の転送信号を入力し、該第１のスイッチングトランジスタの入力端子が前記第２のブートストラップコンデンサに接続され、該第１のスイッチングトランジスタの出力端子が前記プルアップモジュール、前記プルダウンモジュール、前記プルダウン保持モジュール、前記転送モジュール及び前記第１のブートストラップコンデンサにそれぞれ接続され、
前記プルアップ制御モジュールは、プリプルアップスイッチングトランジスタ及びプルアップスイッチングトランジスタを備え、
前記プリプルアップスイッチングトランジスタは、その制御端子が前記２段前の転送信号を出力し、その入力端子が前記２段前の転送信号を受信し、その出力端子が前記第２のブートストラップコンデンサの一端及び前記第１のスイッチングトランジスタの入力端子にそれぞれ接続され、
前記プルアップスイッチングトランジスタは、その制御端子が前記１段前の転送信号を出力し、その入力端子が前記１段前の転送信号を受信し、その出力端子が前記第２のブートストラップコンデンサの他端に接続される走査駆動回路。
【請求項１０】
前記プルアップモジュールは第２のスイッチングトランジスタを備え、該第２のスイッチングトランジスタの制御端子が前記プルアップ制御モジュールの第１のスイッチングトランジスタの出力端子に接続され、該第２のスイッチングトランジスタの入力端子が前記自段のクロック信号を入力し、該第２のスイッチングトランジスタの出力端子が自段の走査信号を出力する請求項９に記載の走査駆動回路。
【請求項１１】
前記転送モジュールは第３のスイッチングトランジスタを備え、該第３のスイッチングトランジスタの制御端子が前記プルアップ制御モジュールの第１のスイッチングトランジスタの出力端子に接続され、該第３のスイッチングトランジスタの入力端子が前記自段のクロック信号を入力し、該第３のスイッチングトランジスタの出力端子が前記自段の転送信号を出力する請求項９に記載の走査駆動回路。
【請求項１２】
前記転送モジュールは第４のスイッチングトランジスタを備え、該第４のスイッチングトランジスタの制御端子が前記１段後の転送信号を入力し、該第４のスイッチングトランジスタの入力端子が前記プルアップ制御モジュールの第１のスイッチングトランジスタの出力端子に接続され、該第４のスイッチングトランジスタの出力端子が前記定電圧ローレベル電源に接続される請求項９に記載の走査駆動回路。
【請求項１３】
前記転送モジュールは第５のスイッチングトランジスタを備え、該第５のスイッチングトランジスタの制御端子が前記１段後の転送信号を入力し、該第５のスイッチングトランジスタの入力端子が前記第３のスイッチングトランジスタの出力端子に接続され、該第５のスイッチングトランジスタの出力端子が前記定電圧ローレベル電源に接続される請求項９に記載の走査駆動回路。
【請求項１４】
前記プルダウン保持モジュールは、第１のプルダウン保持部と、第２のプルダウン保持部と、第２２のスイッチングトランジスタと、第２３のスイッチングトランジスタと、を備え、
前記第２２のスイッチングトランジスタは、その制御端子が前記第１のスイッチングトランジスタの出力端子に接続され、その出力端子が基準点Ｋ（Ｎ）に接続され、その入力端子が基準点Ｐ（Ｎ）に接続され、
前記第２３のスイッチングトランジスタは、その制御端子が１段前の転送信号を入力し、その出力端子が前記基準点Ｋ（Ｎ）に接続され、その入力端子が前記基準点Ｐ（Ｎ）に接続され、
前記第１のプルダウン保持部は、第６のスイッチングトランジスタと、第７のスイッチングトランジスタと、第８のスイッチングトランジスタと、第９のスイッチングトランジスタと、第１０のスイッチングトランジスタと、第１１のスイッチングトランジスタと、第１２のスイッチングトランジスタと、第１３のスイッチングトランジスタと、を備え、
前記第６のスイッチングトランジスタは、その制御端子が前記基準点Ｋ（Ｎ）に接続され、その入力端子が前記定電圧ローレベル電源に接続され、その出力端子が前記第２のスイッチングトランジスタの出力端子に接続され、
前記第７のスイッチングトランジスタは、その制御端子が前記基準点Ｋ（Ｎ）に接続され、その入力端子が前記定電圧ローレベル電源に接続され、その出力端子が前記第１のスイッチングトランジスタの出力端子に接続され、
前記第８のスイッチングトランジスタは、その制御端子が前記基準点Ｋ（Ｎ）に接続され、その入力端子が前記定電圧ローレベル電源に接続され、その出力端子が自段の転送信号を出力し、
前記第９のスイッチングトランジスタは、その制御端子が第１のパルス信号を入力し、その入力端子が前記第１のパルス信号を受信し、その出力端子が前記基準点Ｋ（Ｎ）に接続され、
前記第１０のスイッチングトランジスタは、その制御端子が前記自段の転送信号を入力し、その入力端子が定電圧ローレベル電源に接続され、その出力端子が前記第１のパルス信号を出力し、
前記第１１のスイッチングトランジスタは、その制御端子が第２のパルス信号を入力し、その入力端子が前記第１のパルス信号を受信し、その出力端子が前記基準点Ｋ（Ｎ）に接続され、
前記第１２のスイッチングトランジスタは、その制御端子が前記基準点Ｋ（Ｎ）に接続され、その出力端子が前記基準点Ｋ（Ｎ）に接続され、その入力端子が前記第１のパルス信号を受信し、
前記第１３のスイッチングトランジスタは、その制御端子が前記１段前の転送信号を入力し、その入力端子が前記第１のパルス信号を受信し、その出力端子が前記第２のパルス信号を出力し、
前記第２のプルダウン保持部は、第１４のスイッチングトランジスタと、第１５のスイッチングトランジスタと、第１６のスイッチングトランジスタと、第１７のスイッチングトランジスタと、第１８のスイッチングトランジスタと、第１９のスイッチングトランジスタと、第２０のスイッチングトランジスタと、第２１のスイッチングトランジスタと、を備え、
前記第１４のスイッチングトランジスタは、その制御端子が前記基準点Ｐ（Ｎ）に接続され、その入力端子が前記定電圧ローレベル電源に接続され、その出力端子が前記第２のスイッチングトランジスタの出力端子に接続され、
前記第１５のスイッチングトランジスタは、その制御端子が前記基準点Ｐ（Ｎ）に接続され、その入力端子が定電圧ローレベル電源に接続され、その出力端子が前記第１のスイッチングトランジスタの出力端子に接続され、
前記第１６のスイッチングトランジスタは、その制御端子が前記基準点Ｐ（Ｎ）に接続され、その入力端子が前記定電圧ローレベル電源に接続され、その出力端子が自段の転送信号を出力し、
前記第１７のスイッチングトランジスタは、その制御端子が第２のパルス信号を入力し、その入力端子が前記第２のパルス信号を受信し、その出力端子が前記基準点Ｐ（Ｎ）に接続され、
前記第１８のスイッチングトランジスタは、その制御端子が前記自段の転送信号を入力し、その入力端子が前記定電圧ローレベル電源に接続され、その出力端子が前記第２のパルス信号を出力し、
前記第１９のスイッチングトランジスタは、その制御端子が第１のパルス信号を入力し、その入力端子が前記第２のパルス信号を受信し、その出力端子が前記基準点Ｐ（Ｎ）に接続され、
前記第２０のスイッチングトランジスタは、その制御端子が前記基準点Ｐ（Ｎ）に接続され、その出力端子が前記基準点Ｐ（Ｎ）に接続され、その入力端子が前記第２のパルス信号を受信し、
前記第２１のスイッチングトランジスタは、その制御端子が前記１段前の転送信号を入力し、その入力端子が前記第２のパルス信号を受信し、その出力端子が前記第１のパルス信号を出力する請求項１０に記載の走査駆動回路。
【請求項１５】
前記第１のパルス信号の電位は、前記第２のパルス信号の電位と逆である請求項１４に記載の走査駆動回路。
【請求項１６】
前記第１のパルス信号及び前記第２のパルス信号は高周波パルス信号又は低周波電位信号である請求項１５に記載の走査駆動回路。
【請求項１７】
自段の前記走査線の走査信号に対してリセット操作を行うリセットモジュールをさらに備える請求項９に記載の走査駆動回路。
【発明の詳細な説明】
【技術分野】
【０００１】
本発明は、表示駆動分野に関し、特に、走査駆動回路に関する。
【背景技術】
【０００２】
アレイ上のゲート・ドライバ（Ｇａｔｅ  Ｄｒｉｖｅｒ  Ｏｎ  Ａｒｒａｙ，  ＧＯＡと略称され）は、従来の薄膜トランジスタ液晶表示装置のアレイ基板上に、走査駆動回路を作製し、走査線に対するプログレッシブ走査の駆動方式を実現するものである。図１は従来の走査駆動回路の構造の概略図であり、走査駆動回路１０は、プルアップ制御モジュール１０１、プルアップモジュール１０２、転送モジュール１０３、プルダウンモジュール１０４、ブートストラップコンデンサ１０５及びプルダウン保持モジュール１０６を含む。
【０００３】
走査駆動回路１０が高温状態で動作するとき、スイッチングトランジスタの閾値電圧は、マイナスの値に移動し、走査駆動回路１０の各モジュールのスイッチングトランジスタには漏電が発生しやすい。これにより、走査駆動回路の信頼性に影響を与える。
【０００４】
したがって、従来の問題点を解決できる走査駆動回路を提供する必要がある。
【発明の概要】
【発明が解決しようとする課題】
【０００５】
本発明の目的は、従来の走査駆動回路において漏電現象が発生やすくなり、走査駆動回路の信頼性に影響を与える技術課題を解決するために、漏電現象が軽いかつ信頼性が高い走査駆動回路を提供することにある。
【課題を解決するための手段】
【０００６】
本発明の実施例は、カスケード走査線に対して駆動操作を行う走査駆動回路を提供する。それは、
【０００７】
１段前の転送信号と２段前の転送信号を受信し、前記１段前の転送信号と前記２段前の転送信号によって、対応する前記走査線の走査レベル信号を生成するためのプルアップ制御モジュールと、
【０００８】
前記走査レベル信号及び自段のクロック信号によって、対応する前記走査線の走査信号をプルアップするためのプルアップモジュールと、
【０００９】
１段後の転送信号によって、対応する前記走査線の走査信号をプルダウンするためのプルダウンモジュールと、
【００１０】
対応する前記走査線の走査信号のローレベルを保持するためのプルダウン保持モジュールと、
【００１１】
１段後のプルアップ制御モジュールへ自段の転送信号を発信するための転送モジュールと、
【００１２】
前記走査線の走査信号のハイレベルを発生するための第１のブートストラップコンデンサと、
【００１３】
プルダウン用ローレベルを提供するための定電圧ローレベル電源と、及び
【００１４】
自段の前記走査線の走査レベル信号に対してリセット操作を行うためのリセットモジュールと、を備え、
【００１５】
その中、前記プルアップ制御モジュールは、
【００１６】
前記２段前の転送信号によって対応する前記走査線の走査レベル信号をプリプルアップし、前記１段前の転送信号によって対応する前記走査線の走査レベル信号をプルアップする、第２のブートストラップコンデンサを備え、
【００１７】
その中、前記プルアップ制御モジュールは第１のスイッチングトランジスタをさらに備え、該第１のスイッチングトランジスタの制御端子が前記１段前の転送信号を入力し、該第１のスイッチングトランジスタの入力端子が前記第２のブートストラップコンデンサに接続され、該第１のスイッチングトランジスタの出力端子が前記プルアップモジュール、前記プルダウンモジュール、前記プルダウン保持モジュール、前記転送モジュール及び前記ブートストラップコンデンサにそれぞれ接続される。
【００１８】
本発明にかかる走査駆動回路において、前記プルアップ制御モジュールは、プリプルアップスイッチングトランジスタ及びプルアップスイッチングトランジスタを備え、
【００１９】
前記プリプルアップスイッチングトランジスタは、その制御端子が前記２段前の転送信号に接続され、その入力端子が前記２段前の転送信号に接続され、その出力端子が前記第２のブートストラップコンデンサの一端及び前記第１のスイッチングトランジスタの入力端子にそれぞれ接続され、
【００２０】
前記プルアップスイッチングトランジスタは、その制御端子が前記１段前の転送信号に接続され、その入力端子が前記１段前の転送信号に接続され、その出力端子が前記第２のブートストラップコンデンサの他端に接続される。
【００２１】
本発明にかかる走査駆動回路において、前記プルアップモジュールは第２のスイッチングトランジスタを備え、該第２のスイッチングトランジスタの制御端子が前記プルアップ制御モジュールの第１のスイッチングトランジスタの出力端子に接続され、該第２のスイッチングトランジスタの入力端子が前記自段のクロック信号に接続され、該第２のスイッチングトランジスタの出力端子が自段の走査信号を出力する。
【００２２】
本発明にかかる走査駆動回路において、前記転送モジュールは第３のスイッチングトランジスタを備え、該第３のスイッチングトランジスタの制御端子が前記プルアップ制御モジュールの第１のスイッチングトランジスタの出力端子に接続され、該第３のスイッチングトランジスタの入力端子が前記自段のクロック信号に接続され、該第３のスイッチングトランジスタの出力端子が前記自段の転送信号を出力する。
【００２３】
本発明にかかる走査駆動回路において、前記転送モジュールは第４のスイッチングトランジスタを備え、該第４のスイッチングトランジスタの制御端子が前記１段後の転送信号を入力し、該第４のスイッチングトランジスタの入力端子が前記プルアップ制御モジュールの第１のスイッチングトランジスタの出力端子に接続され、該第４のスイッチングトランジスタの出力端子が前記定電圧のローレベル電源に接続される。
【００２４】
本発明にかかる走査駆動回路において、前記転送モジュールは第５のスイッチングトランジスタを備え、該第５のスイッチングトランジスタの制御端子が前記１段後の転送信号を入力し、該第５のスイッチングトランジスタの入力端子が前記第３のスイッチングトランジスタの出力端子に接続され、該第５のスイッチングトランジスタの出力端子が前記定電圧のローレベル電源に接続される。
【００２５】
本発明にかかる走査駆動回路において、前記プルダウン保持モジュールは、第１のプルダウン保持部と、第２のプルダウン保持部と、第２２のスイッチングトランジスタと、第２３のスイッチングトランジスタと、を備える。
【００２６】
前記第２２のスイッチングトランジスタは、その制御端子が前記第１のスイッチングトランジスタの出力端子に接続され、その出力端子が基準点Ｋ（Ｎ）に接続され、その入力端子が基準点Ｐ（Ｎ）に接続され、
【００２７】
前記第２３のスイッチングトランジスタは、その制御端子が１段前の転送信号を入力し、その出力端子が前記基準点Ｋ（Ｎ）に接続され、その入力端子が基準点Ｐ（Ｎ）に接続され、
【００２８】
前記第１のプルダウン保持部は、第６のスイッチングトランジスタと、第７のスイッチングトランジスタと、第８のスイッチングトランジスタと、第９のスイッチングトランジスタと、第１０のスイッチングトランジスタと、第１１のスイッチングトランジスタと、第１２のスイッチングトランジスタと、第１３のスイッチングトランジスタと、を備え、
【００２９】
前記第６のスイッチングトランジスタは、その制御端子が前記基準点Ｋ（Ｎ）に接続され、その入力端子が定電圧のローレベル電源に接続され、その出力端子が前記第２のスイッチングトランジスタの出力端子に接続され、
【００３０】
前記第７のスイッチングトランジスタは、その制御端子が前記基準点Ｋ（Ｎ）に接続され、その入力端子が定電圧のローレベル電源に接続され、その出力端子が前記第１のスイッチングトランジスタの出力端子に接続され、
【００３１】
前記第８のスイッチングトランジスタは、その制御端子が前記基準点Ｋ（Ｎ）に接続され、その入力端子が前記定電圧のローレベル電源に接続され、その出力端子が自段の転送信号に接続され、
【００３２】
前記第９のスイッチングトランジスタは、その制御端子が第１のパルス信号に接続され、その入力端子が前記第１のパルス信号に接続され、その出力端子が前記基準点Ｋ（Ｎ）に接続され、
【００３３】
前記第１０のスイッチングトランジスタは、その制御端子が前記自段の転送信号に接続され、その入力端子が定電圧のローレベル電源に接続され、その出力端子が前記第１のパルス信号に接続され、
【００３４】
前記第１１のスイッチングトランジスタは、その制御端子が第２のパルス信号に接続され、その入力端子が前記第１のパルス信号に接続され、その出力端子が前記基準点Ｋ（Ｎ）に接続され、
【００３５】
前記第１２のスイッチングトランジスタは、その制御端子が前記基準点Ｋ（Ｎ）に接続され、その出力端子が前記基準点Ｋ（Ｎ）に接続され、その入力端子が前記第１のパルス信号に接続され、
【００３６】
前記第１３のスイッチングトランジスタは、その制御端子が前記１段前の転送信号を入力し、その入力端子が前記第１のパルス信号に接続され、その出力端子が前記第２のパルス信号に接続され、
【００３７】
前記第２のプルダウン保持部は、第１４のスイッチングトランジスタと、第１５のスイッチングトランジスタと、第１６のスイッチングトランジスタと、第１７のスイッチングトランジスタと、第１８のスイッチングトランジスタと、第１９のスイッチングトランジスタと、第２０のスイッチングトランジスタと、第２１のスイッチングトランジスタと、を備え、
【００３８】
前記第１４のスイッチングトランジスタは、その制御端子が前記基準点Ｐ（Ｎ）に接続され、その入力端子が定電圧のローレベル電源に接続され、その出力端子が前記第２のスイッチングトランジスタの出力端子に接続され、
【００３９】
前記第１５のスイッチングトランジスタは、その制御端子が前記基準点Ｐ（Ｎ）に接続され、その入力端子が前記定電圧のローレベル電源に接続され、その出力端子が前記第１のスイッチングトランジスタの出力端子に接続され、
【００４０】
前記第１６のスイッチングトランジスタは、その制御端子が前記基準点Ｐ（Ｎ）に接続され、その入力端子が前記定電圧のローレベル電源に接続され、その出力端子が自段の転送信号に接続され、
【００４１】
前記第１７のスイッチングトランジスタは、その制御端子が第２のパルス信号に接続され、その入力端子が前記第２のパルス信号に接続され、その出力端子が前記基準点Ｐ（Ｎ）に接続され、
【００４２】
前記第１８のスイッチングトランジスタは、その制御端子が前記自段の転送信号に接続され、その入力端子が前記定電圧ローレベル電源に接続され、その出力端子が前記第２のパルス信号に接続され、
【００４３】
前記第１９のスイッチングトランジスタは、その制御端子が第１のパルス信号に接続され、その入力端子が前記第２のパルス信号に接続され、その出力端子が前記基準点Ｐ（Ｎ）に接続され、
【００４４】
前記第２０のスイッチングトランジスタは、その制御端子が前記基準点Ｐ（Ｎ）に接続され、その出力端子が前記基準点Ｐ（Ｎ）に接続され、その入力端子が前記第２のパルス信号に接続され、
【００４５】
前記第２１のスイッチングトランジスタは、その制御端子が前記１段前の転送信号を入力し、その入力端子が前記第２のパルス信号に接続され、その出力端子が前記第１のパルス信号に接続される。
【００４６】
本発明にかかる走査駆動回路において、前記第１のパルス信号の電位は、前記第２のパルス信号の電位と逆である。
【００４７】
本発明にかかる走査駆動回路において、前記第１のパルス信号及び前記第２のパルス信号は高周波レベル信号又は低周波電位信号である。
【００４８】
本発明の実施例は、カスケード走査線に対して駆動操作を行う走査駆動回路を提供する。それは、
【００４９】
１段前の転送信号と２段前の転送信号を受信し、前記１段前の転送信号と前記２段前の転送信号によって、対応する前記走査線の走査レベル信号を生成するためのプルアップ制御モジュールと、
【００５０】
前記走査レベル信号及び自段のクロック信号によって、対応する前記走査線の走査信号をプルアップするためのプルアップモジュールと、
【００５１】
１段後の転送信号によって、対応する前記走査線の走査信号をプルダウンするためのプルダウンモジュールと、
【００５２】
対応する前記走査線の走査信号のローレベルを保持するためのプルダウン保持モジュールと、
【００５３】
１段後のプルアップ制御モジュールへ自段の転送信号を発信する転送モジュールと、
【００５４】
前記走査線の走査信号のハイレベルを発生する第１のブートストラップコンデンサと、及び
【００５５】
プルダウン用ローレベルを提供する定電圧ローレベル電源と、備え、
【００５６】
その中、前記プルアップ制御モジュールは、
【００５７】
前記２段前の転送信号によって対応する前記走査線の走査レベル信号をプリプルアップし、また、前記１段前の転送信号によって対応する前記走査線の走査レベル信号をプルアップする、第２のブートストラップコンデンサを備える。
【００５８】
本発明にかかる走査駆動回路において、前記プルアップ制御モジュールは第１のスイッチングトランジスタをさらに備え、該第１のスイッチングトランジスタの制御端子が前記１段前の転送信号を入力し、該第１のスイッチングトランジスタの入力端子が前記第２のブートストラップコンデンサに接続され、該第１のスイッチングトランジスタの出力端子が前記プルアップモジュール、該第１のスイッチングトランジスタの前記プルダウンモジュール、前記プルダウン保持モジュール、前記転送モジュール及び前記ブートストラップコンデンサにそれぞれ接続される。
【００５９】
本発明にかかる走査駆動回路において、前記プルアップ制御モジュールは、プリプルアップスイッチングトランジスタ及びプルアップスイッチングトランジスタを備え、
【００６０】
前記プリプルアップスイッチングトランジスタは、その制御端子が前記２段前の転送信号に接続され、その入力端子が前記２段前の転送信号に接続され、その出力端子が前記第２のブートストラップコンデンサの一端及び前記第１のスイッチングトランジスタの入力端子にそれぞれ接続され、
【００６１】
前記プルアップスイッチングトランジスタは、その制御端子が前記１段前の転送信号に接続され、その入力端子が前記１段前の転送信号に接続され、その出力端子が前記第２のブートストラップコンデンサの他端に接続される。
【００６２】
本発明にかかる走査駆動回路において、前記プルアップモジュールは第２のスイッチングトランジスタを備え、該第２のスイッチングトランジスタの制御端子が前記プルアップ制御モジュールの第１のスイッチングトランジスタの出力端子に接続され、該第２のスイッチングトランジスタの入力端子が前記自段のクロック信号に接続され、該第２のスイッチングトランジスタの出力端子が自段の走査信号を出力する。
【００６３】
本発明にかかる走査駆動回路において、前記転送モジュールは第３のスイッチングトランジスタを備え、該第３のスイッチングトランジスタの制御端子が前記プルアップ制御モジュールの第１のスイッチングトランジスタの出力端子に接続され、該第３のスイッチングトランジスタの入力端子が前記自第３のスイッチングトランジスタ段のクロック信号に接続され、該第３のスイッチングトランジスタの出力端子が前記自段の転送信号を出力する。
【００６４】
本発明にかかる走査駆動回路において、前記プルダウンモジュールは第４のスイッチングトランジスタを備え、該第４のスイッチングトランジスタの制御端子が前記１段後の転送信号を入力し、該第４のスイッチングトランジスタの入力端子が前記プルアップ制御モジュールの第１のスイッチングトランジスタの出力端子に接続され、該第４のスイッチングトランジスタの出力端子が前記定電圧のローレベル電源に接続される。
【００６５】
本発明にかかる走査駆動回路において、前記ルダウンモジュールは第５のスイッチングトランジスタを備え、該第５のスイッチングトランジスタの制御端子が前記１段後の転送信号を入力し、該第５のスイッチングトランジスタの入力端子が前記第３のスイッチングトランジスタの出力端子に接続され、該第５のスイッチングトランジスタの出力端子が前記定電圧のローレベル電源に接続される。
【００６６】
本発明にかかる走査駆動回路において、前記プルダウン保持モジュールは、第１のプルダウン保持部と、第２のプルダウン保持部と、第２２のスイッチングトランジスタと、第２３のスイッチングトランジスタと、を備える。
【００６７】
前記第２２のスイッチングトランジスタは、その制御端子が前記第１のスイッチングトランジスタの出力端子に接続され、その出力端子が基準点Ｋ（Ｎ）に接続され、その入力端子が基準点Ｐ（Ｎ）に接続され、
【００６８】
前記第２３のスイッチングトランジスタは、その制御端子が１段前の転送信号を入力し、その出力端子が前記基準点Ｋ（Ｎ）に接続され、その入力端子が基準点Ｐ（Ｎ）に接続され、
【００６９】
前記第１のプルダウン保持部は、第６のスイッチングトランジスタと、第７のスイッチングトランジスタと、第８のスイッチングトランジスタと、第９のスイッチングトランジスタと、第１０のスイッチングトランジスタと、第１１のスイッチングトランジスタと、第１２のスイッチングトランジスタと、第１３のスイッチングトランジスタと、を備え、
【００７０】
前記第６のスイッチングトランジスタは、その制御端子が前記基準点Ｋ（Ｎ）に接続され、その入力端子が前記定電圧のローレベル電源に接続され、その出力端子が前記第２のスイッチングトランジスタの出力端子に接続され、
【００７１】
前記第７のスイッチングトランジスタは、その制御端子が前記基準点Ｋ（Ｎ）に接続され、その入力端子が前記定電圧のローレベル電源に接続され、その出力端子が前記第１のスイッチングトランジスタの出力端子に接続され、
【００７２】
前記第８のスイッチングトランジスタは、その制御端子が前記基準点Ｋ（Ｎ）に接続され、その入力端子が前記定電圧のローレベル電源に接続され、その出力端子が自段の転送信号に接続され、
【００７３】
前記第９のスイッチングトランジスタは、その制御端子が第１のパルス信号に接続され、その入力端子が前記第１のパルス信号に接続され、その出力端子が前記基準点Ｋ（Ｎ）に接続され、
【００７４】
前記第１０のスイッチングトランジスタは、その制御端子が前記自段の転送信号に接続され、その入力端子が前記定電圧のローレベル電源に接続され、その出力端子が前記第１のパルス信号に接続され、
【００７５】
前記第１１のスイッチングトランジスタは、その制御端子が第２のパルス信号に接続され、その入力端子が前記第１のパルス信号に接続され、その出力端子が前記基準点Ｋ（Ｎ）に接続され、
【００７６】
前記第１２のスイッチングトランジスタは、その制御端子が前記基準点Ｋ（Ｎ）に接続され、その出力端子が前記基準点Ｋ（Ｎ）に接続され、その入力端子が前記第１のパルス信号に接続され、
【００７７】
前記第１３のスイッチングトランジスタは、その制御端子が前記１段前の転送信号を入力し、その入力端子が前記第１のパルス信号に接続され、その出力端子が前記第２のパルス信号に接続され、
【００７８】
前記第２のプルダウン保持部は、第１４のスイッチングトランジスタと、第１５のスイッチングトランジスタと、第１６のスイッチングトランジスタと、第１７のスイッチングトランジスタと、第１８のスイッチングトランジスタと、第１９のスイッチングトランジスタと、第２０のスイッチングトランジスタと、第２１のスイッチングトランジスタと、を備え、
【００７９】
前記第１４のスイッチングトランジスタは、その制御端子が前記基準点Ｐ（Ｎ）に接続され、その入力端子が前記定電圧のローレベル電源に接続され、その出力端子が前記第２のスイッチングトランジスタの出力端子に接続され、
【００８０】
前記第１５のスイッチングトランジスタは、その制御端子が前記基準点Ｐ（Ｎ）に接続され、その入力端子が前記定電圧のローレベル電源に接続され、その出力端子が前記第１のスイッチングトランジスタの出力端子に接続され、
【００８１】
前記第１６のスイッチングトランジスタは、その制御端子が前記基準点Ｐ（Ｎ）に接続され、その入力端子が前記定電圧のローレベル電源に接続され、その出力端子が自段の転送信号に接続され、
【００８２】
前記第１７のスイッチングトランジスタは、その制御端子が第２のパルス信号に接続され、その入力端子が前記定電圧のローレベル電源に接続され、その出力端子が前記基準点Ｐ（Ｎ）に接続され、
【００８３】
前記第１８のスイッチングトランジスタは、その制御端子が前記自段の転送信号に接続され、その入力端子が前記第２のパルス信号に接続され、その出力端子が前記第２のパルス信号に接続され、
【００８４】
前記第１９のスイッチングトランジスタは、その制御端子が第１のパルス信号に接続され、その入力端子が前記第２のパルス信号に接続され、その出力端子が前記基準点Ｐ（Ｎ）に接続され、
【００８５】
前記第２０のスイッチングトランジスタは、その制御端子が前記基準点Ｐ（Ｎ）に接続され、その出力端子が前記基準点Ｐ（Ｎ）に接続され、その入力端子が前記第２のパルス信号に接続され、
【００８６】
前記第２１のスイッチングトランジスタは、その制御端子が前記１段前の転送信号を入力し、その入力端子が前記第２のパルス信号に接続され、その出力端子が前記第１のパルス信号に接続される。
【００８７】
本発明にかかる走査駆動回路において、前記第１のパルス信号の電位は、前記第２のパルス信号の電位と逆である。
【００８８】
本発明にかかる走査駆動回路において、前記第１のパルス信号及び前記第２のパルス信号は高周波レベル信号又は低周波電位信号である。
【００８９】
本発明にかかる走査駆動回路において、前記走査駆動回路は、さらに、
【００９０】
自段の前記走査線の走査レベル信号に対してリセット操作を行うリセットモジュールを備える。
【発明の効果】
【００９１】
従来の走査駆動回路と異なって、本発明の走査駆動回路は、プルアップ制御モジュール内に第２のブートストラップコンデンサを設置することで、漏電現象をよく回避することができ、走査駆動回路の信頼性を向上させることができ、従来の走査駆動回路において漏電現象を起こしやすくなり、走査駆動回路の信頼性に影響を与える技術課題を解決した。
【図面の簡単な説明】
【００９２】
図１は、従来の走査駆動回路の構成の概略図である。
【００９３】
図２は、本発明の走査駆動回路の第１の好ましい実施例の構成の概略図である。
【００９４】
図３は、本発明の走査駆動回路の第１の好ましい実施例の信号の波形図である。
【００９５】
図４は、本発明の走査駆動回路の第２の好ましい実施例の構成の概略図である。
【００９６】
図５は、本発明の走査駆動回路の第２の好ましい実施例の信号の波形図である。
【発明を実施するための形態】
【００９７】
図面を参照して、各実施例を説明する。これらの実施例は、本発明を実施できる特定の実施例を例示するものである。本発明において言及された方向に関する用語、例えば、「上」、「下」、「前」、「後」、「左」、「右」、「内」、「外」、「側面」などの用語は、単なる図面上の方向を参考したものである。そのため、使用された方向に関する用語は、本発明を限定するものではなく、本発明を容易に理解されるように説明するためのものである。
【００９８】
図面において、構成が類似しているものには、同一の記号が付けられる。
【００９９】
図２及び図３を参照する。図２は、本発明の走査駆動回路の第１の好ましい実施例の構成の概略図である。図３は、本発明の走査駆動回路の第１の好ましい実施例の信号の波形図である。この好ましい実施例にかかる走査駆動回路２０は、プルアップ制御モジュール２０１と、プルアップモジュール２０２と、プルダウンモジュール２０３と、プルダウン保持モジュール２０４と、転送モジュール２０５と、第１のブートストラップコンデンサＣｂと、定電圧ローレベル電源ＶＳＳと、を備える。プルアップ制御モジュール２０１は、１段前の転送信号ＳＴ（Ｎ−１）と２段前の転送信号ＳＴ（Ｎ−２）を受信し、１段前の転送信号ＳＴ（Ｎ−１）と２段前の転送信号ＳＴ（Ｎ−２）によって、対応する前記走査線の走査レベル信号Ｑ（Ｎ）を生成し、プルアップモジュール２０２は、走査レベル信号Ｑ（Ｎ）及び自段のクロック信号ＣＫＮによって、対応する走査線の走査信号Ｇ（Ｎ）をプルアップし、プルダウンモジュール２０３は、１段後の転送信号ＳＴ（Ｎ＋１）によって、対応する走査線の走査信号Ｇ（Ｎ）をプルダウンし、プルダウン保持モジュール２０４は、対応する走査線の走査信号Ｇ（Ｎ）のローレベルを保持し、転送モジュール２０５は、１段後のプルアップ制御モジュール２０１へ自段の転送信号ＳＴ（Ｎ）を発信し、第１のブートストラップコンデンサＣｂは、第１のスイッチングトランジスタＴ１の出力端子とプルアップ用の第２のスイッチングトランジスタＴ２の出力端子との間に設置され、走査線の走査信号Ｇ（Ｎ）のハイレベルを発生するものであり、定電圧ローレベル電源ＶＳＳは、プルダウン用のローレベルを提供するものである。
【０１００】
プルアップ制御モジュール２０１は、第２のブートストラップコンデンサＣｂ２と、第１のスイッチングトランジスタＴ１と、プリプルアップスイッチングトランジスタＴ２２と、プルアップスイッチングトランジスタＴ２１とを備え、第２のブートストラップコンデンサＣｂ２は、２段前の転送信号ＳＴ（Ｎ−２）によって、対応する走査線の走査レベル信号Ｑ（Ｎ）をプリプルアップし、１段前の転送信号ＳＴ（Ｎ−１）によって、対応する走査線の走査レベル信号Ｑ（Ｎ）をプルアップする。
【０１０１】
第１のスイッチングトランジスタＴ１は、制御端子が１段前の転送信号ＳＴ（Ｎ−１）を入力し、入力端子が第２のブートストラップコンデンサＣｂ２に接続され、出力端子がプルアップモジュール２０２、プルダウンモジュール２０３、プルダウン保持モジュール２０４、転送モジュール２０５及び第１のブートストラップコンデンサＣｂにそれぞれ接続される。プリプルアップスイッチングトランジスタＴ２２は、制御端子が２段前の転送信号ＳＴ（Ｎ−２）に接続され、入力端子が２段前の転送信号Ｇ（Ｎ−２）に接続され、出力端子が前記第２のブートストラップコンデンサＣｂ２の一端及び第１のスイッチングトランジスタＴ１の入力端子にそれぞれ接続される。プルアップスイッチングトランジスタＴ２１は、制御端子が１段前の転送信号ＳＴ（Ｎ−１）に接続され、入力端子が１段前の走査信号Ｇ（Ｎ−１）に接続され、出力端子が第２のブートストラップコンデンサＣｂ２の他端に接続される。
【０１０２】
プルアップモジュール２０２は、制御端子がプルアップ制御モジュール２０１の第１のスイッチングトランジスタＴ１の出力端子に接続され、入力端子が自段のクロック信号ＣＫ（Ｎ）に接続され、出力端子が自段の走査信号Ｇ（Ｎ）を出力する、第２のスイッチングトランジスタＴ２を備える。
【０１０３】
転送モジュール２０５は、制御端子がプルアップ制御モジュール２０１の第１のスイッチングトランジスタＴ１の出力端子に接続され、入力端子が自段のクロック信号ＣＫ（Ｎ）を入力し、出力端子が自段の転送信号ＳＴ（Ｎ）を出力する、第３のスイッチングトランジスタＴ２３を備える。
【０１０４】
転送モジュール２０３は、制御端子が１段後の転送信号ＳＴ（Ｎ＋１）を入力し、入力端子がプルアップ制御モジュール２０１の第１のスイッチングトランジスタＴ１の出力端子に接続され、出力端子が定電圧のローレベル電源ＶＳＳに接続される、第４のスイッチングトランジスタＴ３を備える。
【０１０５】
転送モジュール２０３は、制御端子が１段後の転送信号ＳＴ（Ｎ＋１）を入力し、入力端子が第３のスイッチングトランジスタＴ２３の出力端子に接続され、出力端子が定電圧のローレベル電源ＶＳＳに接続される、第５のスイッチングトランジスタＴ４２を備える。
【０１０６】
プルダウン保持モジュール２０４は、第１のプルダウン保持部２０４１と、第２のプルダウン保持部２０４２と、第２２のスイッチングトランジスタＴ１３と、第２３のスイッチングトランジスタＴ１４と、を備える。
【０１０７】
第２２のスイッチングトランジスタＴ１３は、制御端子が第１のスイッチングトランジスタＴ１の出力端子に接続され、出力端子が基準点Ｋ（Ｎ）に接続され、入力端子が基準点Ｐ（Ｎ）に接続される。
【０１０８】
第２３のスイッチングトランジスタＴ１４は、制御端子が１段前の転送信号ＳＴ（Ｎ＋１）を入力し、出力端子が基準点Ｋ（Ｎ）に接続され、入力端子が基準点Ｐ（Ｎ）に接続される。
【０１０９】
第１のプルダウン保持部２０４１は、第６のスイッチングトランジスタＴ１０と、第７のスイッチングトランジスタＴ９と、第８のスイッチングトランジスタＴ２５と、第９のスイッチングトランジスタＴ６と、第１０のスイッチングトランジスタＴ８と、第１１のスイッチングトランジスタＴ１６と、第１２のスイッチングトランジスタＴ２０と、第１３のスイッチングトランジスタＴ１８と、を備える。
【０１１０】
第６のスイッチングトランジスタＴ１０は、制御端子が基準点Ｋ（Ｎ）に接続され、入力端子が定電圧のローレベル電源ＶＳＳに接続され、出力端子が第２のスイッチングトランジスタＴ２の出力端子に接続される。
【０１１１】
第７のスイッチングトランジスタＴ９は、制御端子が基準点Ｋ（Ｎ）に接続され、入力端子が定電圧のローレベル電源ＶＳＳに接続され、出力端子が第１のスイッチングトランジスタＴ１の出力端子に接続される。
【０１１２】
第８のスイッチングトランジスタＴ２５は、制御端子が基準点Ｋ（Ｎ）に接続され、入力端子が定電圧のローレベル電源ＶＳＳに接続され、出力端子が自段の転送信号ＳＴ（Ｎ）に接続される。
【０１１３】
第９のスイッチングトランジスタＴ６は、制御端子が第１の高周波パルス信号ＸＣＫＮに接続され、入力端子が第１の高周波パルス信号ＸＣＫＮに接続され、出力端子が基準点Ｋ（Ｎ）に接続され、
【０１１４】
第１０のスイッチングトランジスタＴ８は、制御端子が自段の転送信号ＳＴ（Ｎ）に接続され、入力端子が定電圧のローレベル電源ＶＳＳに接続され、出力端子が第１の高周波パルス信号ＸＣＫＮに接続される。
【０１１５】
第１１のスイッチングトランジスタＴ１６は、制御端子が第２の高周波パルス信号ＣＫＮに接続され、入力端子が第１の高周波パルス信号ＸＣＫＮに接続され、出力端子が基準点Ｋ（Ｎ）に接続される。
【０１１６】
第１２のスイッチングトランジスタＴ２０は、制御端子が基準点Ｋ（Ｎ）に接続され、出力端子が基準点Ｋ（Ｎ）に接続され、入力端子が第１の高周波パルス信号ＣＫＮに接続される。
【０１１７】
第１３のスイッチングトランジスタＴ１８は、制御端子が１段前の転送信号ＳＴ（Ｎ−１）を入力し、入力端子が第１の高周波パルス信号ＸＣＫＮに接続され、出力端子が第２の高周波パルス信号ＣＫＮに接続される。
【０１１８】
第２のプルダウン保持部は、第１４のスイッチングトランジスタＴ１１と、第１５のスイッチングトランジスタＴ１２と、第１６のスイッチングトランジスタＴ２６と、第１７のスイッチングトランジスタＴ５と、第１８のスイッチングトランジスタＴ７と、第１９のスイッチングトランジスタＴ１５と、第２０のスイッチングトランジスタＴ１９と、第２１のスイッチングトランジスタＴ１７と、を備える。
【０１１９】
第１４のスイッチングトランジスタＴ１１は、制御端子が基準点Ｐ（Ｎ）に接続され、入力端子が定電圧のローレベル電源ＶＳＳに接続され、出力端子が第２のスイッチングトランジスタＴ２の出力端子に接続される。
【０１２０】
第１５のスイッチングトランジスタＴ１２は、制御端子が基準点Ｐ（Ｎ）に接続され、入力端子が定電圧のローレベル電源ＶＳＳに接続され、出力端子が前記第１のスイッチングトランジスタＴ１の出力端子に接続される。
【０１２１】
第１６のスイッチングトランジスタＴ２６は、制御端子が基準点Ｐ（Ｎ）に接続され、入力端子が定電圧のローレベル電源ＶＳＳに接続され、出力端子が自段の転送信号ＳＴ（Ｎ）に接続される。
【０１２２】
第１７のスイッチングトランジスタＴ５は、制御端子が第２の高周波パルス信号ＣＫＮに接続され、入力端子が第２の高周波パルス信号ＣＫＮに接続され、出力端子が基準点Ｐ（Ｎ）に接続され、
【０１２３】
第１８のスイッチングトランジスタＴ７は、制御端子が自段の転送信号ＳＴ（Ｎ）に接続され、入力端子が定電圧のローレベル電源ＶＳＳに接続され、出力端子が第２の高周波パルス信号ＣＫＮに接続される。
【０１２４】
第１９のスイッチングトランジスタＴ１５は、制御端子が第１の高周波パルス信号ＸＣＫＮに接続され、入力端子が第２の高周波パルス信号ＣＫＮに接続され、出力端子が基準点Ｐ（Ｎ）に接続される。
【０１２５】
第２０のスイッチングトランジスタＴ１９は、制御端子が基準点Ｐ（Ｎ）に接続され、出力端子が基準点Ｐ（Ｎ）に接続され、入力端子が第２の高周波パルス信号ＣＫＮに接続される。
【０１２６】
第２１のスイッチングトランジスタＴ１７は、制御端子が１段前の転送信号ＳＴ（Ｎ−１）を入力し、入力端子が第２の高周波パルス信号ＣＫＮに接続され、出力端子が第１の高周波パルス信号ＸＣＫＮに接続される。
【０１２７】
そのうち、第１の高周波パルス信号ＸＣＫＮの電位は第２の高周波パルス信号ＣＫＮの電位と逆である。
【０１２８】
好ましくは、本実施例にかかる走査駆動回路２０は、さらに、自段の走査線の走査信号Ｑ（ｎ）に対してリセット操作を行うためのリセットモジュール２０６を備える。当該リセットモジュール２０６は、スイッチングトランジスタＴ４を備え、スイッチングトランジスタＴ４の制御端子に対してハイレベル信号を入力することで、走査線の走査レベル信号Ｑ（ｎ）（即ち、基準点Ｑ（ｎ））に対してリセット処理を行う。
【０１２９】
図２を参照して説明する。本実施例にかかる走査駆動回路２０を使用する際、２段前の転送信号ＳＴ（Ｎ−２）がハイレベルになると、２段前の走査信号Ｇ（Ｎ−２）もハイレベルになる。この時、プリプルアップスイッチングトランジスタＴ２２がオンにされ、２段前の走査信号Ｇ（Ｎ−２）により、プリプルアップスイッチングトランジスタＴ２２を通して第２のブートストラップコンデンサＣｂ２へ充電し、第２のブートストラップコンデンサＣｂ２の一端が第１のハイレベルを達する。次いで、１段前の転送信号ＳＴ（Ｎ−１）はハイレベルになり、上の１段の走査信号Ｇ（Ｎ−１）もハイレベルになる。この時、プルアップスイッチングトランジスタＴ２１がオンにされ、上の１段の走査信号Ｇ（Ｎ−１）により、プルアップスイッチングトランジスタＴ２１を通して第２のブートストラップコンデンサＣｂ２へ充電し、第２のブートストラップコンデンサＣｂ２の一端が第１のハイレベルよりも高い第２のハイレベルを達する。
【０１３０】
次いで、第１のスイッチングトランジスタＴ１は、１段前の転送信号ＳＴ（Ｎ−１）により制御されてオンにされ、基準点Ｑ（ｎ）をより高いレベルに上昇させるように、第２のブートストラップコンデンサＣｂ２は第１のスイッチングトランジスタＴ１を介して第１のブートストラップコンデンサＣｂへ充電する。次いで、１段前の転送信号ＳＴ（Ｎ−１）はローレベルになり、第１のスイッチングトランジスタＴ１がオフにされ、基準点Ｑ（ｎ）はブートストラップコンデンサＣｂによって高いレベルに保持され、かつ、第２スイッチングトランジスタＴ２と第３スイッチングトランジスタＴ２３とがオンにされる。
【０１３１】
次いで、自段のクロック信号ＣＫ（ｎ）はハイレベルになり、基準点Ｑ（ｎ）がさらに高いレベルを達するように、クロック信号ＣＫ（ｎ）により、第２のスイッチングトランジスタＴ２を介して第１のブートストラップコンデンサＣｂへ充電し続ける。自段の走査信号Ｇ（Ｎ）と自段の転送信号ＳＴ（Ｎ）もハイレベルになる。
【０１３２】
この場合、基準点Ｑ（Ｎ）はハイレベル状態となり、第１のスイッチングトランジスタＴ１の入力端子と第２のブートストラップコンデンサＣｂ２とが接続されているため、基準点Ｑ（Ｎ）では、第１のスイッチングトランジスタＴ１を介して漏電することがない。
【０１３３】
一方、第２２のスイッチングトランジスタＴ１３がオンされるため、第１のプルダウン保持部２０４１または第２のプルダウン保持部２０４２は、第１の高周波パルス信号ＸＣＫＮと第２の高周波パルス信号ＣＫＮによって、基準点Ｑ（ｎ）のハイレベルを保持する。
【０１３４】
第１の高周波パルス信号ＸＣＫＮがハイレベルであって、第２の高周波パルス信号ＣＫＮがローレベルである場合、第１９のスイッチングトランジスタＴ１５、第９のスイッチングトランジスタＴ６及び第１８のスイッチングトランジスタＴ７は、オンされ、基準点Ｋ（Ｎ）と基準点Ｐ（ｎ）では、第１９のスイッチングトランジスタＴ１５及び第１８のスイッチングトランジスタＴ７を介して、ローレベルにプルダウンされ、第６のスイッチングトランジスタＴ１０、第７のスイッチングトランジスタＴ１１、第８のスイッチングトランジスタＴ２５、第１４のスイッチングトランジスタＴ１１、第１５のスイッチングトランジスタＴ１２及び第１６のスイッチングトランジスタＴ２６がオフされ、基準点Ｑ（ｎ）、自段のプルダウン信号ＳＴ（Ｎ）及び自段の走査信号Ｇ（Ｎ）のハイレベルを保証できた。
【０１３５】
第１の高周波パルス信号ＸＣＫＮがローレベルであって、第２の高周波パルス信号ＣＫＮがハイレベルである場合、第１７のスイッチングトランジスタＴ５、第１１のスイッチングトランジスタＴ１６及び第１０のスイッチングトランジスタＴ８がオンされ、基準点Ｋ  （Ｎ）及び基準点Ｐ（ｎ）では、第１１のスイッチングトランジスタＴ１６及び第１０のスイッチングトランジスタＴ８によってローレベルまでプルダウンされる。これにより、第６のスイッチングトランジスタＴ１０、第７のスイッチングトランジスタＴ１１、第８のスイッチングトランジスタＴ２５、第１４のスイッチングトランジスタＴ１１、第１５のスイッチングトランジスタＴ１２及び第１６スイッチングトランジスタＴ２６はオフにされ、基準点Ｑ（ｎ）、自段のプルダウン信号ＳＴ（Ｎ）及び自段の走査信号Ｇ（Ｎ）のハイレベルを保証できた。
【０１３６】
下１段のプルダウン信号ＳＴ（Ｎ＋１）がハイレベルになると、第４のスイッチングトランジスタＴ３がオンにされ、基準点Ｑ（ｎ）は、ローレベルになり、この時、第２２のスイッチングトランジスタＴ１３がオフされる。
【０１３７】
第１の高周波パルス信号ＸＣＫＮがハイレベルである場合、基準点Ｋ（Ｎ）は、ハイレベルにプルアップされて、第６のスイッチングトランジスタＴ１０、第７のスイッチングトランジスタＴ９及び第８のスイッチングトランジスタＴ２５がオンにされ、基準点Ｑ（ｎ）、自段のプルダウン信号ＳＴ（Ｎ）及び自段の走査信号Ｇ（Ｎ）のローレベルを保証できた。
【０１３８】
第２の高周波パルス信号ＣＫＮはハイレベルである場合、基準点Ｐ（Ｎ）は、ハイレベルにプルアップされて、第１４のスイッチングトランジスタＴ１１、第１５のスイッチングトランジスタＴ１２及び第１６のスイッチングトランジスタＴ２６がオンにされ、基準点Ｑ（ｎ）、自段のプルダウン信号ＳＴ（Ｎ）及び自段の走査信号Ｇ（Ｎ）のローレベルを保証できた。
【０１３９】
第１のスイッチングトランジスタＴ１がオンされているとき、第２のブートストラップコンデンサＣｂ２が既に高い電位状態にあるため、基準点Ｑ（  ｎ）が上昇して高いレベルに保持されるように、第２のブートストラップコンデンサＣｂ２は第１のブートストラップコンデンサＣｂへ迅速に充電する。したがって、本実施例にかかる走査駆動回路２０におけるプルアップ制御モジュール２０１の構造は、基準点Ｑ（ｎ）を高電位状態までに上昇させることができ、かつ、基準点Ｑ（ｎ）の高電位状態を保持することができ、スイッチングトランジスタの漏電による基準点Ｑ（Ｎ）の電位変動を回避した。
【０１４０】
本発明にかかる走査駆動回路は、第２のブートストラップコンデンサを備えるプルアップ制御モジュールを設置することにより、漏電現象の発生をよく回避することができ、走査駆動回路の信頼性を向上させた。
【０１４１】
図４、図５を参照して説明する。図４は本発明にかかる走査駆動回路の第２の好ましい実施例の構造の概略図であり、図５は本発明にかかる走査駆動回路の第２の好ましい実施例の信号の波形図である。当該実施例は、走査駆動回路の第４の実施例と比べて、その区別が、第１の高周波パルス信号ＸＣＫＮの代わりに第１の低周波電位信号ＬＣ２を利用し、第２の高周波パルス信号ＣＫＮの代わりに第２の低周波電位信号ＬＣ１を利用することにあり、第１の低周波電位信号ＬＣ２と第２の低周波電位信号ＬＣ１は数フレーム画面又は、数十フレーム画面の後にレベルを切り替えることができ、これにより、走査駆動回路のパルスの切り替えを減らすことができ、走査駆動回路の省電力化が可能となる。
【０１４２】
本発明にかかる走査駆動回路は、プルアップ制御モジュールにおいて、第２のブートストラップコンデンサを設置することで、漏電現象の発生を回避することができ、走査ドライバ回路の信頼性を向上させ、従来の走査駆動回路において漏電現象が発生しやすくなり、走査駆動回路信頼性に影響を与えるという技術課題を解決した。
【０１４３】
よって、上述のように、好ましい実施例で本発明を開示したが、上記実施例は本発明を限定するものではない。当業者であれば、本発明の精神および範囲から逸脱することが無い限り、様々な変形や修正が可能であり、本発明で権利化しようとする範囲は、特許請求の範囲によって定められたものである。
【図１】
0006539737.tif 000002
【図２】
0006539737.tif 000003
【図３】
0006539737.tif 000004
【図４】
0006539737.tif 000005
【図５】
0006539737.tif 000006